(57)【要約】【課題】  本発明の目的とするところは、複数のタッチ領域を通じてチャネル番号情報を受信してユーザの便宜性を高める遠隔制御装置およびそれを用いたディスプレイ装置の制御方法を提供することにある。【解決手段】  ディスプレイ装置を制御する遠隔制御装置が開示される。本遠隔制御装置は、複数のタッチ領域を備える入力部と、前記複数のタッチ領域を通じて入力されるチャネル番号情報に応じて、前記ディスプレイ装置のチャネルを選択するための制御命令を生成する制御部と、前記制御命令を前記ディスプレイ装置に伝送する送信部とを含み、前記チャネル番号情報は複数の要素情報を含み、前記複数のタッチ領域は前記複数の要素情報の各々を受信する。【選択図】図２
2013141242.tif 000002
【特許請求の範囲】
【請求項１】
ディスプレイ装置を制御する遠隔制御装置において、
複数のタッチ領域を備える入力部と、
前記複数のタッチ領域を通じて入力されるチャネル番号情報に応じて、前記ディスプレイ装置のチャネルを選択するための制御命令を生成する制御部と、
前記制御命令を前記ディスプレイ装置に伝送する送信部と
を含み、
前記チャネル番号情報は複数の要素情報を含み、前記複数のタッチ領域は前記複数の要素情報の各々を受信することを特徴とする遠隔制御装置。
【請求項２】
前記入力部は、
前記ディスプレイ装置のメジャーチャネル番号を変更するためのチャネル番号情報を入力される第１タッチ領域と、前記ディスプレイ装置のマイナーチャネル番号を変更するためのチャネル番号情報を入力される第２タッチ領域とを備えることを特徴とする請求項１に記載の遠隔制御装置。
【請求項３】
前記第１タッチ領域と第２タッチ領域とは、
別途に設けられたタッチパネルを通じて分離されることを特徴とする請求項２に記載の遠隔制御装置。
【請求項４】
前記第１タッチ領域と第２タッチ領域とは、
各々対応するＧＵＩ要素を通じて視覚的に分離されることを特徴とする請求項２に記載の遠隔制御装置。
【請求項５】
前記第１タッチ領域は、前記複数のタッチ領域のうち、前記ディスプレイ装置の画面を基準として左側に位置するタッチ領域であり、
前記第２タッチ領域は、前記複数のタッチ領域のうち、前記ディスプレイ装置の画面を基準として右側に位置するタッチ領域であることを特徴とする請求項２に記載の遠隔制御装置。
【請求項６】
前記制御部は、
前記第１タッチ領域および第２タッチ領域の各々に入力されるユーザの筆記入力に応じて、前記ディスプレイ装置のチャネルを変更するための制御命令を生成することを特徴とする請求項２に記載の遠隔制御装置。
【請求項７】
前記制御部は、
前記第１タッチ領域および第２タッチ領域の各々に入力されるユーザの筆記入力に対応する入力情報を前記ディスプレイ装置に伝送するように送信部を制御することを特徴とする請求項２に記載の遠隔制御装置。
【請求項８】
前記制御部は、
前記第１タッチ領域および第２タッチ領域の各々に入力されるユーザのフリック命令に従って、前記ディスプレイ装置のチャネルを変更するための制御命令を生成することを特徴とする請求項２に記載の遠隔制御装置。
【請求項９】
複数のタッチ領域を備えた遠隔制御装置を用いたディスプレイ装置の制御方法において、
前記複数のタッチ領域を通じて入力されるチャネル番号情報に応じて、前記ディスプレイ装置のチャネルを選択するための制御命令を生成するステップと、
前記制御命令を前記ディスプレイ装置に伝送するステップと
を含み、
前記チャネル番号情報は複数の要素情報を含み、前記複数のタッチ領域は前記複数の要素情報の各々を受信することを特徴とするディスプレイ装置の制御方法。
【請求項１０】
前記複数のタッチ領域は、
前記ディスプレイ装置のメジャーチャネル番号を変更するためのチャネル番号情報を入力される第１タッチ領域と、前記ディスプレイ装置のマイナーチャネル番号を変更するためのチャネル番号情報を入力される第２タッチ領域とを備えることを特徴とする請求項９に記載のディスプレイ装置の制御方法。
【請求項１１】
前記第１タッチ領域と第２タッチ領域とは、
別途に設けられたタッチパネルを通じて分離されることを特徴とする請求項１０に記載のディスプレイ装置の制御方法。
【請求項１２】
前記第１タッチ領域と第２タッチ領域とは、
各々対応するＧＵＩ要素を通じて視覚的に分離されることを特徴とする請求項１０に記載のディスプレイ装置の制御方法。
【請求項１３】
前記第１タッチ領域は、前記複数のタッチ領域のうち、前記ディスプレイ装置の画面を基準として左側に位置するタッチ領域であり、
前記第２タッチ領域は、前記複数のタッチ領域のうち、前記ディスプレイ装置の画面を基準として右側に位置するタッチ領域であることを特徴とする請求項１０に記載のディスプレイ装置の制御方法。
【請求項１４】
前記制御命令を生成するステップは、
前記第１タッチ領域および第２タッチ領域の各々に入力されるユーザの筆記入力に応じて、前記ディスプレイ装置のチャネルを変更するための制御命令を生成することを特徴とする請求項１０に記載のディスプレイ装置の制御方法。
【請求項１５】
前記制御命令を生成するステップは、
前記第１タッチ領域および第２タッチ領域の各々に入力されるユーザの筆記入力に対応する入力情報を前記ディスプレイ装置に伝送することを特徴とする請求項１０に記載のディスプレイ装置の制御方法。
【発明の詳細な説明】
【技術分野】
【０００１】
本発明は、遠隔制御装置およびそれを用いたディスプレイ装置の制御方法に関し、より詳細には、遠隔でディスプレイ装置の動作を制御することができる遠隔制御装置およびそれを用いたディスプレイ装置の制御方法に関する。
【背景技術】
【０００２】
最近、家庭でもデジタル放送が普及されつつあり、ユーザはより多くのチャネルを選択することができるようになった。
【０００３】
従来のアナログ放送とは違って、デジタル放送では一つの周波数帯域を利用しながらも複数のチャネルに対応する放送信号を送信することができるため、ユーザが選択できるチャネル数は遥かに多い。
【０００４】
しかし、デジタル放送で一つのメジャーチャネルには３〜４のマイナーチャネルが存在し得るため、ユーザが遠隔制御装置に備えられているアップ／ダウンボタンを使ってチャネルを選択するためには、かなり多くのボタン操作が必要になる。
【０００５】
それにより、より容易かつ便利な操作で多様なチャネルを選択して視聴するための方策への模索が求められる。
【先行技術文献】
【特許文献】
【０００６】
【特許文献１】韓国特開第２００２−０１８６２１号公報
【特許文献２】韓国特開第２００８−０００９３２号公報
【発明の概要】
【発明が解決しようとする課題】
【０００７】
そこで、本発明は、上記問題に鑑みてなされたものであり、本発明の目的とするところは、複数のタッチ領域を通じてチャネル番号情報を受信してユーザの便宜性を高める遠隔制御装置およびそれを用いたディスプレイ装置の制御方法を提供することにある。
【課題を解決するための手段】
【０００８】
本発明の一実施形態に係るディスプレイ装置を制御する遠隔制御装置は、複数のタッチ領域を備える入力部と、前記複数のタッチ領域を通じて入力されるチャネル番号情報に応じて、前記ディスプレイ装置のチャネルを選択するための制御命令を生成する制御部と、前記制御命令を前記ディスプレイ装置に伝送する送信部とを含み、前記チャネル番号情報は複数の要素情報を含み、前記複数のタッチ領域は前記複数の要素情報の各々を受信する。
【０００９】
この場合、前記入力部は、前記ディスプレイ装置のメジャーチャネル番号を変更するためのチャネル番号情報を入力される第１タッチ領域と、前記ディスプレイ装置のマイナーチャネル番号を変更するためのチャネル番号情報を入力される第２タッチ領域とを備えてよい。
【００１０】
この場合、前記第１タッチ領域と第２タッチ領域とは、別途に設けられたタッチパネルを通じて分離されてよい。
【００１１】
なお、前記第１タッチ領域と第２タッチ領域とは、各々対応するＧＵＩ要素を通じて視覚的に分離されてよい。
【００１２】
一方、前記第１タッチ領域は、前記複数のタッチ領域のうち、前記ディスプレイ装置の画面を基準として左側に位置するタッチ領域であり、前記第２タッチ領域は、前記複数のタッチ領域のうち、前記ディスプレイ装置の画面を基準として右側に位置するタッチ領域であってよい。
【００１３】
一方、前記制御部は、前記第１タッチ領域および第２タッチ領域の各々に入力されるユーザの筆記入力に応じて、前記ディスプレイ装置のチャネルを変更するための制御命令を生成してよい。
【００１４】
なお、前記制御部は、前記第１タッチ領域および第２タッチ領域の各々に入力されるユーザの筆記入力に対応する入力情報を前記ディスプレイ装置に伝送するように送信部を制御してよい。
【００１５】
なお、前記制御部は、前記第１タッチ領域および第２タッチ領域の各々に入力されるユーザのフリック命令に従って、前記ディスプレイ装置のチャネルを変更するための制御命令を生成してよい。
【００１６】
一方、本発明の一実施形態に係る複数のタッチ領域を備えた遠隔制御装置を用いたディスプレイ装置の制御方法は、前記複数のタッチ領域を通じて入力されるチャネル番号情報に応じて、前記ディスプレイ装置のチャネルを選択するための制御命令を生成するステップと、前記制御命令を前記ディスプレイ装置に伝送するステップとを含み、前記チャネル番号情報は複数の要素情報を含み、前記複数のタッチ領域は前記複数の要素情報の各々を受信する。
【００１７】
この場合、前記複数のタッチ領域は、前記ディスプレイ装置のメジャーチャネル番号を変更するためのチャネル番号情報を入力される第１タッチ領域と、前記ディスプレイ装置のマイナーチャネル番号を変更するためのチャネル番号情報を入力される第２タッチ領域とを備えてよい。
【００１８】
この場合、前記第１タッチ領域と第２タッチ領域とは、別途に設けられたタッチパネルを通じて分離されてよい。
【００１９】
なお、前記第１タッチ領域と第２タッチ領域とは、各々対応するＧＵＩ要素を通じて視覚的に分離されてよい。
【００２０】
一方、前記第１タッチ領域は、前記複数のタッチ領域のうち、前記ディスプレイ装置の画面を基準として左側に位置するタッチ領域であり、前記第２タッチ領域は、前記複数のタッチ領域のうち、前記ディスプレイ装置の画面を基準として右側に位置するタッチ領域であってよい。
【００２１】
一方、前記制御命令を生成するステップは、前記第１タッチ領域および第２タッチ領域の各々に入力されるユーザの筆記入力に応じて、前記ディスプレイ装置のチャネルを変更するための制御命令を生成してよい。
【００２２】
そして、前記制御命令を生成するステップは、前記第１タッチ領域および第２タッチ領域の各々に入力されるユーザの筆記入力に対応する入力情報を前記ディスプレイ装置に伝送してよい。
【００２３】
なお、前記制御命令を生成するステップは、前記第１タッチ領域および第２タッチ領域の各々に入力されるユーザのフリック命令に従って、前記ディスプレイ装置のチャネルを変更するための制御命令を生成してよい。
【発明の効果】
【００２４】
以上説明したように、本発明によれば、複数のタッチ領域を通じてチャネル番号情報を受信することができる。それにより、多様なチャネルをより容易かつ便利に選局することができる。
【図面の簡単な説明】
【００２５】
【図１】本発明の一実施形態に係るチャネル変更方法を実現するためのシステムを示す図である。
【図２】本発明の一実施形態に係る遠隔制御装置の構成を説明するためのブロック図である。
【図３Ａ】本発明の一実施形態に係るチャネル変更方法を説明するための図である。
【図３Ｂ】本発明の一実施形態に係るチャネル変更方法を説明するための図である。
【図３Ｃ】本発明の一実施形態に係るチャネル変更方法を説明するための図である。
【図４Ａ】本発明の別の実施形態に係るチャネル変更方法を説明するための図である。
【図４Ｂ】本発明の別の実施形態に係るチャネル変更方法を説明するための図である。
【図４Ｃ】本発明の別の実施形態に係るチャネル変更方法を説明するための図である。
【図４Ｄ】本発明の別の実施形態に係るチャネル変更方法を説明するための図である。
【図５】本発明の一実施形態に係るディスプレイ装置の制御方法を説明するためのフローチャートである。
【発明を実施するための形態】
【００２６】
以下に添付図面を参照しながら、本発明の好適な実施形態について詳細に説明する。
【００２７】
図１は、本発明の一実施形態に係るチャネル変更方法を実現するためのシステムを示す図である。図１に示すように、本実施形態に係るシステム１０００は、ディスプレイ装置１００および遠隔制御装置２００を含む。
【００２８】
ディスプレイ装置１００は、放送局、衛星または外部入力機器等から放送信号を受信して出力することができる。ここで、放送局は、地上波放送局およびケーブル放送局を含んでよい。
【００２９】
ただ、それに限定されるものではなく、ディスプレイ装置１００は、ＩＰ（Ｉｎｔｅｒｎｅｔ  Ｐｒｏｔｏｃｏｌ）網等を通じて多様なコンテンツ提供者から提供されるコンテンツ信号を受信して出力してよい。この場合、ディスプレイ装置１００は、コンテンツ提供者（Ｃｏｎｔｅｎｔｓ  Ｐｒｏｖｉｄｅｒ）、コンテンツジャンル、コンテンツタイトルに応じてチャネル番号を割り当てて提供することができる。
【００３０】
そして、ディスプレイ装置１００は、遠隔制御装置２００から受信される制御命令に従って、それに対応する動作を行うことができる。たとえば、遠隔制御装置２００からチャネル選局命令が受信されると、ディスプレイ装置１００はそれによるチャネルを選局して、当該チャネルから受信される放送信号を出力してよい。
【００３１】
このような機能を行うディスプレイ装置１００は、テレビやセットトップボックス、ＤＶＤプレーヤー、移動端末、デスクトップ、およびラップトップパソコン等であってよい。しかし、それに限定されるものではなく、放送信号およびコンテンツ信号の少なくとも何れか一つを受信して出力することができる電子機器なら、本発明の一実施形態に係るディスプレイ装置１００であってよい。
【００３２】
遠隔制御装置２００は、ユーザ操作に対応する制御命令をディスプレイ装置１００に伝送し、ディスプレイ装置１００の動作を制御することができる。特に、遠隔制御装置２００は、メジャーチャネル（Ｍａｊｏｒ  Ｃｈａｎｎｅｌ）番号とマイナーチャネル（Ｍｉｎｏｒ  Ｃｈａｎｎｅｌ）番号を含むチャネル番号情報に基づいたチャネル選局命令をディスプレイ装置１００に伝送し、ディスプレイ装置１００で特定チャネルを選局するように制御してよい。
【００３３】
一般に、アナログ放送では、一つのチャネル周波数バンド（たとえば、６ＭＨｚ）内に一つの放送チャネルのみ存在しているが、デジタル放送では一つのチャネル周波数バンド内にいくつかのサブチャネルに分けて放送されてよい。従って、デジタル放送では、サブチャネルを区分するためにメジャーチャネルとマイナーチャネルの概念を適用する。
【００３４】
たとえば、デジタル放送でチャネル番号が６−１である場合、前の番号の６がメジャーチャネル番号であり、「−」の後ろに付く番号がマイナーチャネル番号を意味する。このように、メジャーチャネルは放送局毎の固有の番号で定められており、マイナーチャネルは放送局そのものとして、０〜９９９の任意の数字を付与してよい。
【００３５】
すなわち、本発明の一実施形態に係る遠隔制御装置２００は、デジタル放送信号を出力するディスプレイ装置１００のチャネル選局を制御してよい。
【００３６】
しかし、それに限定されるわけではなく、遠隔制御装置２００はケーブル網で提供される放送信号またはＩＰ網を通じて提供されるコンテンツ信号にデジタル放送信号と類似している方式で、チャネル番号が割り当てられた場合にも、ディスプレイ装置１００のチャネル選局を制御してよい。
【００３７】
たとえば、ケーブル放送局を基準として一つのチャネル番号が割り当てられ、各ケーブル放送局から提供するコンテンツ別に異なる一つのチャネル番号が割り当てられた場合を挙げることができる。別の実施形態として、一つのコンテンツ提供者がインターネットを通じて複数のコンテンツを提供するとしたら、コンテンツ提供者を基準に一つのチャネル番号が割り当てられ、各コンテンツ提供者が提供するコンテンツ別に異なる一つのチャネル番号が割り当てられた場合を挙げることができる。
【００３８】
一方、本実施形態に係る遠隔制御装置２００は、ディスプレイ装置１００を制御するためのリモートコントローラ（Ｒｅｍｏｔｅ  Ｃｏｎｔｒｏｌｌｅｒ）で実現されてよい。しかし、それに限定されるわけではなく、移動端末でリモコンコントローラ機能を担うアプリケーションを実行してディスプレイ装置１００を制御できる場合も含まれてよい。
【００３９】
以下では、添付の図２を参照して、本発明の一実施形態に係る遠隔制御装置２００の具体的に説明する。
【００４０】
図２は、本発明の一実施形態に係る遠隔制御装置の構成を説明するためのブロック図である。図２に示すように、本実施形態に係る遠隔制御装置２００は、入力部２１０と、制御部２２０および送信部２３０を含む。
【００４１】
入力部２１０は、複数のタッチ領域を備える。ここで、複数のタッチ領域には複数の要素情報を含むチャネル番号情報が入力される。すなわち、複数のタッチ領域には、複数の要素各々が入力される。たとえば、複数のタッチ領域は、互いに異なるレベルのチャネル番号、すなわち、メジャーチャネル番号とマイナーチャネル番号とが各々入力されてよい。
【００４２】
それにより、入力部２１０には、ディスプレイ装置１００のメジャーチャネル番号を変更するためのチャネル番号情報が入力される第１タッチ領域と、ディスプレイ装置１００のマイナーチャネル番号を変更するためのチャネル番号情報が入力される第２タッチ領域とを備えてよい。
【００４３】
この場合、第１タッチ領域と第２タッチ領域とは、別途に設けられたタッチパネル（図示せず）を通じて分離されてよい。たとえば、第１タッチ領域に対応するタッチパネルは、遠隔制御装置２００の下側領域に配置され、第２タッチ領域に対応するタッチパネルは、遠隔制御装置２００の上側に配置されてよい。または、それとは逆に、第１タッチ領域に対応するタッチパネルが、遠隔制御装置２００の上側領域に配置され、第２タッチ領域に対応するタッチパネルが、遠隔制御装置２００の下側に配置されてもよい。
【００４４】
一方で、第１タッチ領域と第２タッチ領域とは、各々対応するＧＵＩ要素を通じて視覚的に分離されてよい。すなわち、第１タッチ領域と第２タッチ領域とは、一つのタッチパネル上に表示されたＧＵＩ（Ｇｒａｐｈｉｃ  Ｕｓｅｒ  Ｉｎｔｅｒｆａｃｅ）を通じて視覚的に区分して形成されてよい。
【００４５】
すなわち、遠隔制御装置２００が移動端末で実現されてディスプレイ装置１００を制御するためのリモートコントローラ機能を担うアプリケーション（以下、リモートアプリケーションという）を駆動すると、遠隔制御装置２００に設けられた一つのタッチパネルで第１タッチ領域と第２タッチ領域とのためのＧＵＩが区分されて表示されてよい。
【００４６】
ここで、移動端末とは、スマートフォンを意味してよい。場合によっては、ＰＤＡ（Ｐｅｒｓｏｎａｌ  Ｄｉｇｉｔａｌ  Ａｓｓｉｓｔａｎｔｓ）、ＰＭＰ（Ｐｏｒｔａｂｌｅ  Ｍｕｌｔｉｍｅｄｉａ  Ｐｌａｙｅｒ）のように自らアプリケーションを駆動できる機器なら、限定されずに適用されてよい。
【００４７】
このように、入力部２１０はタッチパネルを備え、ユーザの指やスタイラスペン等から入力されるタッチを認識し、それに対応するタッチ情報を後述の制御部２２０に伝達してよい。
【００４８】
ここで、タッチ情報は、タップ（Ｔａｐ）や、ドラッグ（Ｄｒａｇ）、フリック（Ｆｌｉｃｋ）等のようなタッチ種類に関する情報および当該タッチが発生する位置に対する情報を含んでよい。タップは、ユーザがタッチパネルにタッチを入力した後、タッチ位置の移動動作なくタッチを解除する動作に該当する。ドラッグは、ユーザがタッチパネルにタッチを入力した後、予め設定された臨界速度以下の速度でタッチ位置を移動させた動作に該当する。フリックは、ユーザがタッチパネルにタッチを入力した後、予め設定された臨界速度以上の速度でタッチ位置を移動させた後、タッチを解除する動作に該当する。
【００４９】
なお、タッチ情報は、ユーザの筆記入力に対する情報を含んでよい。ここで、ユーザの筆記入力は、英語アルファベットやハングル、数字および記号等のような多様な文字が含まれてよい。
【００５０】
このような機能を行うタッチパネルは、静電容量方式、抵抗膜（圧力式）方式、表面超音波方式および赤外線方式等で実現されてよい。
【００５１】
一方、入力部２１０の複数のタッチ領域は、ディスプレイ装置１００の動作を制御するためのメニューアイコンを表示するためのディスプレイ部（図示せず）を含んでよい。ここで、メニューアイコンとは、電源オン／オフ、チャネルアップ／ダウンおよび音量アップ／ダウン等のユーザ命令を受信するためのアイコンを含んでよい。
【００５２】
即ち、入力部２１０の複数のタッチ領域は、液晶表示装置（Ｌｉｑｕｉｄ  Ｃｒｙｓｔａｌ  Ｄｉｓｐｌａｙ：ＬＣＤ）、有機発光装置（Ｏｒｇａｎｉｃ  Ｌｉｇｈｔ  Ｅｍｉｔｔｉｎｇ  Ｄｉｓｐｌａｙ：ＯＬＥＤ）および電気泳動表示装置（Ｅｌｅｃｔｒｏ  Ｐｈｏｒｅｔｉｃ  Ｄｉｓｐｌａｙ：ＥＰＤ）等のような表面表示装置がタッチパネルが相互レイヤ構造からなり、タッチ命令を受信することができ、ディスプレイ装置１００を制御するためのメニューアイコンを表示することができる。
【００５３】
なお、入力部２１０は、複数のタッチ領域を通じて入力されるユーザ命令をディスプレイ部を介して表示することができる。例えば、入力部２１０は、ユーザのタッチが発生する位置に対する情報に基づいて、複数のタッチ領域の各々に入力される英語アルファベットやハングル、数字および記号等を表示することができる。
【００５４】
一方、入力部２１０は、複数のタッチ領域の他にも、ディスプレイ装置１００を制御するためのキーボタンを備えてよい。即ち、複数のタッチ領域に表示されたメニューアイコンとは、異なる機能を行うようにディスプレイ装置１００を制御するための文字や数字等の多様なキーボタンを備えてよい。
【００５５】
制御部２２０は、遠隔制御装置２００の動作全般を制御する。特に、制御部２２０は、入力部２１０を介して入力されるユーザ命令に基づいて、遠隔制御装置２００のモードを変更し、各モードによる動作を制御することができる。
【００５６】
具体的に、入力部２１０にディスプレイ装置１００を制御するためのメニューアイコンが表示された状態で、ユーザが特定メニューアイコンをタッチした場合、制御部２２０は、タッチされたメニューアイコンに対応する制御命令を生成することができる。例えば、ユーザが電源オンのアイコンをタッチした場合、制御部２２０はディスプレイ装置１００の電源をオンさせるための制御命令を生成してよい。
【００５７】
そして、入力部２１０に設けられた複数のタッチ領域に予め設定されたパターンをもつユーザ命令が入力されると、制御部２１０は複数のタッチ領域のタッチモードをディスプレイ装置１００のメジャーチャネル番号およびマイナーチャネル番号を選局するためのユーザ命令を受信するモード（即ち、メジャー−マイナーチャネル入力モード）に切り替えてよい。ここで、予め設定されたパターンは、第１タッチ領域または第２タッチ領域の少なくとも何れか一つを予め設定された回数だけこするパターンであってよい。メジャー−マイナーチャネル入力モードで、第１タッチ領域および第２タッチ領域にメニューアイコンは表示されなくてよい。
【００５８】
その後、制御部２２０は、複数のタッチ領域を通じて入力されるチャネル番号情報に応じてディスプレイ装置１００のチャネルを選択するための制御命令を生成する。
【００５９】
具体的に、制御部２２０は、第１タッチ領域および第２タッチ領域の各々に入力されるユーザの筆記入力に応じて、ディスプレイ装置１００のチャネルを変更するための制御命令を生成してよい。
【００６０】
即ち、制御部２２０は、第１タッチ領域を通じて入力された筆記領域に対応するチャネル番号を決定し、決定されたチャネル番号に、ディスプレイ装置１００のメジャーチャネル番号を変更するための制御命令を生成してよい。そして、制御部２２０は、第２タッチ領域を通じて入力された筆記入力に対応するチャネル番号を決定し、決定されたチャネル番号に、ディスプレイ装置１００のマイナーチャネルを変更するための制御命令を生成してよい。
【００６１】
一方で、制御部２２０は、第１タッチ領域および第２タッチ領域の各々に入力されるユーザのフリック命令に応じて、ディスプレイ装置１００のチャネルを変更するための制御命令を生成してよい。
【００６２】
即ち、制御部２２０は、第１タッチ領域を通じて上方または下方へのフリック命令が入力されると、ディスプレイ装置１００で現在選局されたメジャーチャネル番号をチャネルアップまたはチャネルダウンさせるための制御命令を生成することができる。それと同様に、制御部２２０は、第２タッチ領域を通じて上方または下方へのフリック命令が入力されると、ディスプレイ装置１００で現在選局されたマイナーチャネル番号をチャネルアップまたはチャネルダウンさせるための制御命令を生成してよい。
【００６３】
一方、入力部２１０には、第１タッチ領域および第２タッチ領域に入力されるユーザのタッチ命令をフリック入力と認識するか、または筆記入力と認識するかを選択するための別途のボタン（または、メニューアイコン）を備えてよい。
【００６４】
それに基づいて、制御部２２０は、第１タッチ領域および第２タッチ領域に入力さえるユーザ命令がフリック命令か、または筆記入力かを判断し、ユーザ命令に対応する制御命令を生成してよい。
【００６５】
一方、入力部２１０に設けられた複数のタッチ領域のうち、少なくとも何れか一つに予め設定されたパターンをもつユーザ命令が再入力されると、制御部２２０はメジャー−マイナーチャネル入力モードをメニューアイコンが表示されるモードに切り替え、複数のタッチ領域にメニューアイコンを再表示することができる。
【００６６】
送信部２３０は、制御命令をディスプレイ装置に伝送する。即ち、送信部２３０は、制御部２２０から出力された制御命令を無線送信信号に変換してディスプレイ装置１００に伝送する。
【００６７】
例えば、第１タッチ領域を通じてユーザの筆記入力で“７”が入力され、第２タッチ領域にユーザの筆記入力で“１”が入力された場合、制御部２２０はメジャーチャネル番号を“７”、マイナーチャネル番号を“１”に決定する。そして、制御部２２０は、“７−１”のチャネル番号情報を含むチャネル選局命令を無線送信信号に変換して、ディスプレイ装置１００に伝送するように送信部２３０を制御してよい。
【００６８】
別の例として、第１タッチ領域を通じて“上方へのフリック命令”が入力された場合、送信部２３０は、制御部２２０から伝達された制御命令に基づいてディスプレイ装置１００で現在選局されているメジャーチャネル番号をチャネルアップさせるための無線送信信号をディスプレイ装置１００に伝送してよい。
【００６９】
そして、第２タッチ領域を通じて“下方へのフリック命令”が入力された場合、送信部２３０は、制御部２２０から伝達された制御命令に基づいてディスプレイ装置１００で現在選局されているメジャーチャネル番号をチャネルダウンさせるための無線送信信号をディスプレイ装置１００に伝送してよい。
【００７０】
なお、制御部２２０は、入力部２１０の複数のタッチ領域に設けられたメニューアイコンおよび入力部２１０に別途に設けられたキーボタンに対応する制御命令を送信部２３０に伝達することができる。この場合、送信部２３０は各制御命令に基づいた無線送信信号をディスプレイ装置１００に伝送して、ディスプレイ装置１００の動作を制御してよい。
【００７１】
一方、上述の実施形態では、ディスプレイ装置１００のチャネル選局を制御するために制御命令を遠隔制御装置２００が生成してディスプレイ装置１００に伝送するものとして説明したが、それは一例に過ぎない。即ち、遠隔制御装置２００では、入力されたユーザ命令をディスプレイ装置１００に伝送すると、ディスプレイ装置１００でユーザ命令を判断してチャネルを選局するように実現されてよい。
【００７２】
具体的に、制御部２２０は、第１タッチ領域および第２タッチ領域の各々に入力されるユーザの筆記入力に対応する入力情報をディスプレイ装置１００に伝送するように送信部２３０を制御してよい。
【００７３】
例えば、第１タッチ領域を通じてユーザの筆記入力で“７”が入力され、第２タッチ領域にユーザの筆記入力で“１”が入力された場合、制御部２２０はメジャーチャネル番号を“７”、マイナーチャネル番号を“１”に決定する。そして、制御部２２０は、メジャーチャネル番号“７”およびマイナーチャネル番号“１”を、それに対応する所定のコード値に変換してディスプレイ装置１００に順次伝送するように、送信部２３０を制御してよい。ディスプレイ装置１００は、受信したコード値に基づいて遠隔制御装置２００に入力されたユーザ命令を判断して、それによる動作を行うことができる。上述の例において、ディスプレイ装置１００は受信したコード値に基づいて、“７−１”にチャネルを選局することができる。ただ、上述の実施形態において、遠隔制御装置２００は、メジャーチャネル番号“７”およびマイナーチャネル番号“１”の組合せに対応するコード値をディスプレイ装置１００に伝送することができる。
【００７４】
それと同様に、第１タッチ領域および第２タッチ領域に“フリック命令”が入力された場合にも、遠隔制御装置２００は、“上方へのフリック命令”および“下方へのフリック命令”に対応するコード値をディスプレイ装置１００に伝送することもできる。
【００７５】
図３Ａないし図３Ｃは、本発明の一実施形態に係るチャネル変更方法を説明するための図である。特に、図３Ａないし図３Ｃは、第１タッチ領域および第２タッチ領域に筆記入力が入力された場合を説明するための図である。
【００７６】
一方、第１タッチ領域は、複数のタッチ領域のうち、ディスプレイ装置３００の画面を基準として左側に位置するタッチ領域であり、第２タッチ領域は、複数のタッチ領域のうち、ディスプレイ装置３００の画面を基準として右側に位置するタッチ領域であってよい。
【００７７】
即ち、図３Ａないし図３Ｃに示すように、遠隔制御装置４００に設けられた複数のタッチ領域のうち、ディスプレイ装置３００を基準に左側に位置する領域がメジャーチャネル番号を受信するための第１タッチ領域４１０であり、ディスプレイ装置３００を基準に右側に位置する領域がマイナーチャネル番号を受信するための第２タッチ領域４２０であってよい。
【００７８】
このように、本発明の一実施形態によると、遠隔制御装置４００の各タッチ領域が行う機能は、遠隔制御装置４００が傾いた方向を基準に決められてよい。そのために、遠隔制御装置４００は、遠隔制御装置４００の傾いた方向を検知するための２軸または３軸加速センサおよび３軸ジャイロセンサ等の検知部（図示せず）を備えてよい。
【００７９】
そして、制御部（図２の２２０）は、検知部（図示せず）の検知結果に基づいて、複数のタッチ領域のうち、第１タッチ領域および第２タッチ領域を判断し、それにより、各タッチ領域に対応する制御命令を生成してよい。
【００８０】
例えば、遠隔制御装置４００の上側領域および下側領域にタッチ領域が備えられ、遠隔制御装置４００が右側に傾いた場合について説明する。
【００８１】
この場合、制御部（図２の２２０）の遠隔制御装置４００の下側領域に備えられたタッチ領域が第１タッチ領域であると判断し、当該タッチ領域を通じて入力されるチャネル番号をディスプレイ装置３００のメジャーチャネル番号に選局するための制御命令を生成してよい。そして、制御部（図２の２２０）の遠隔制御装置４００の上側領域に備えられたタッチ領域が第２タッチ領域であると判断し、当該タッチ領域を通じて入力されるチャネル番号をディスプレイ装置３００のマイナーチャネル番号に選局するための制御命令を生成してよい。
【００８２】
即ち、図３Ａおよび図３Ｂに示すように、第１タッチ領域４１０を通じて“１”が入力され、第２タッチ領域４２０を通じて“７”が入力された場合、遠隔制御装置４００は、チャネル番号“１−７”に対応するチャネルを選択するための無線送信信号をディスプレイ装置３００に伝送する。この場合、第１タッチ領域４１０および第２タッチ領域４２０にユーザが入力するチャネル番号が同時に表示されてよい。
【００８３】
そして、チャネル番号“１−７”に対応するチャネルを選局するための無線送信信号を受信したディスプレイ装置３００は、チャネル番号“１−７”に対応するチャネルを選局して当該チャネルから受信されるデジタル放送信号を出力するようになる。
【００８４】
図４Ａないし図４Ｄは、本発明の別の実施形態に係るチャネル変更方法を説明するための図である。特に、図４Ａないし図４Ｄは、第１タッチ領域および第２タッチ領域にフリック命令が入力された場合を説明するための図である。第１タッチ領域および第２タッチ領域が割り当てられる方法について、図３とともに説明しているため、繰り返し説明は省略する。
【００８５】
図４Ａに示すように、ディスプレイ装置３００は、現在のチャネル番号“３−２”に対応するチャネルに選局されている。このとき、第１タッチ領域４１０を通じて“下方へのフリック命令”が入力されると、遠隔制御装置４００はメジャーチャネル番号をチャネルダウンさせるための無線送信信号をディスプレイ装置３００に伝送する。
【００８６】
それにより、図４Ｂに示すように、ディスプレイ装置３００はチャネル番号“２−０”に対応するチャネルを選局して当該チャネルから受信されるデジタル放送信号を出力することができる。ここで、チャネル番号“２−０”に対応するチャネルが選局されることは、マイナーチャネル番号のうち、最も小さいチャネル番号がデフォルト値に設定されているためである。
【００８７】
しかし、このように、マイナーチャネル番号のうち、最も小さいチャネル番号に対応するチャネルが選局されることは一例に過ぎず、現在選局されたマイナーチャネル番号と同一のマイナーチャネル番号に対応するチャネルが選局されてよい。即ち、上述の実施形態において、第１タッチ領域４１０を通じて“下方へのフリック命令”が入力されると、ディスプレイ装置３００はチャネル番号“２−０”に対応するチャネルではないチャネル番号“２−２”に対応するチャネルを選局することができる。
【００８８】
なお、メジャーチャネル番号が変更されると、変更されたメジャーチャネル番号に対するデフォルト値に設定されるマイナーチャネル番号はユーザによって設定されてよい。
【００８９】
その後、図４Ｃに示すように、第２タッチ領域４２０を通じて“上方へのフリック命令”が入力されると、遠隔制御装置４００はマイナーチャネル番号をチャネルアップさせるための無線送信信号をディスプレイ装置３００に伝送する。
【００９０】
それにより、図４Ｄに示すように、ディスプレイ装置３００は、チャネル番号“２−１”に対応するチャネルを選局して、当該チャネルから受信されるデジタル放送信号を出力することができる。
【００９１】
一方、図１ないし図４において、第１タッチ領域と第２タッチ領域が各々メジャーチャネル番号およびマイナーチャネル番号を含むチャネル番号情報に基づいて、チャネル変更命令を受信するためのものとして説明したが、それは一例に過ぎない。
【００９２】
即ち、第１タッチ領域と第２タッチ領域とは、ディスプレイ装置の互いに異なる動作を制御するためのユーザ命令を受信してよい。例えば、ディスプレイ装置を基準に左側に位置する第１タッチ領域はディスプレイ装置のチャネルを変更し、ディスプレイ装置を基準に右側に位置する第２タッチ領域はディスプレイ装置の音量を変更するためのユーザ命令を受信してよい。
【００９３】
図５は、本発明の一実施形態に係るディスプレイ装置の制御方法を説明するためのフローチャートである。特に、本実施形態は、複数のタッチ領域を備える遠隔制御装置を用いてディスプレイ装置を制御する方法を説明する。
【００９４】
まず、複数のタッチ領域を通じて入力されるチャネル番号情報に応じて、前記ディスプレイ装置のチャネルを選択するための制御命令を生成する（Ｓ５１０）。
【００９５】
ここで、チャネル番号情報は、複数の要素情報を含み、前記複数のタッチ領域は、前記複数の要素情報の各々を受信することができる。例えば、複数のタッチ領域は、互いに異なるレベルのチャネル番号、即ち、メジャーチャネル番号とマイナーチャネル番号を各々受信してよい。
【００９６】
その後、制御命令を前記ディスプレイ装置に伝送する（Ｓ５２０）。
【００９７】
一方、複数のタッチ領域は、ディスプレイ装置のメジャーチャネル番号を変更するためのチャネル番号情報を受信する第１タッチ領域と、ディスプレイ装置のマイナーチャネル番号を変更するためのチャネル番号情報を受信する第２タッチ領域を備えてよい。
【００９８】
なお、第１タッチ領域と第２タッチ領域とは、別途に設けられたタッチパネルを通じて分離されてよい。または、第１タッチ領域と第２タッチ領域とは、各々対応するＧＵＩ要素を通じて視覚的に分離されてよい。
【００９９】
なお、第１タッチ領域は、複数のタッチ領域のうち、ディスプレイ装置の画面を基準に左側に位置するタッチ領域であり、第２タッチ領域は、複数のタッチ領域のうち、前記ディスプレイ装置の画面を基準に右側に位置するタッチ領域であってよい。
【０１００】
これらの実施形態に対する説明は、図１ないし図４で具体的に説明しているため、繰り返し説明および図示は省略する。
【０１０１】
一方、ステップＳ５１０において、第１タッチ領域および第２タッチ領域の各々に入力されるユーザの筆記入力に応じて、ディスプレイ装置のチャネルを変更するための制御命令を生成してよい。
【０１０２】
なお、第１タッチ領域および第２タッチ領域の各々に入力されるユーザの筆記入力に対応する入力情報をディスプレイ装置に伝送することができる。
【０１０３】
そして、第１タッチ領域および第２タッチ領域の各々に入力されるユーザのフリック命令に応じて、前記ディスプレイ装置のチャネルを変更するための制御命令を生成してよい。
【０１０４】
一方、上述の本発明の多様な実施形態に係る方法を行うためのプログラムは、多様な記録媒体に保存されて使用されてよい。
【０１０５】
具体的に、上述の方法を行うためのプログラムコードは、多様な類型の記録媒体に保存されてよい。具体的には、ＲＡＭ（Ｒａｎｄｏｍ  Ａｃｃｅｓｓ  Ｍｅｍｏｒｙ）、フラッシュメモリ、ＲＯＭ（Ｒｅａｄ  Ｏｎｌｙ  Ｍｅｍｏｒｙ）、ＥＰＲＯＭ（Ｅｒａｓａｂｌｅ  Ｐｒｏｇｒａｍｍａｂｌｅ  ＲＯＭ）、ＥＥＰＲＯＭ（Ｅｌｅｃｔｒｏｎｉｃａｌｌｙ  Ｅｒａｓａｂｌｅ  ａｎｄ  Ｐｒｏｇｒａｍｍａｂｌｅ  ＲＯＭ）、レジスタ、ハードディスク、リムーバブルディスク、メモリカード、ＵＳＢメモリ、ＣＤ−ＲＯＭ等のように、端末機で読み取り可能な多様な類型の記録媒体に保存されていてよい。
【０１０６】
以上、添付図面を参照しながら本発明の好適な実施形態について詳細に説明したが、本発明は以上の実施形態に限定されない。本発明の属する技術の分野における通常の知識を有する者であれば、特許請求の範囲に記載された技術的趣旨の範疇内において、各種の変更例または修正例に想到し得ることは明らかであり、これらについても、当然に本発明の技術的範囲に属するものと了解される。
【符号の説明】
【０１０７】
２１０  入力部
２２０  制御部
２３０  送信部
【図１】
2013141242.tif 000003
【図２】
2013141242.tif 000004
【図３Ａ】
2013141242.tif 000005
【図３Ｂ】
2013141242.tif 000006
【図３Ｃ】
2013141242.tif 000007
【図４Ａ】
2013141242.tif 000008
【図４Ｂ】
2013141242.tif 000009
【図４Ｃ】
2013141242.tif 000010
【図４Ｄ】
2013141242.tif 000011
【図５】
2013141242.tif 000012